(57)【要約】【課題】  新たに部品を追加することなく、押ボタンについての組立工程での作業性やキャビネットの軽量化などを阻害することなく、押ボタンの操作信頼性や耐久性を向上させる。【解決手段】  押ボタン４が配備された開口２を前板部１２に備えるパネル本体１と、押ボタン４に突き当たってその押込みストロークを規制するストッパ６とを有する。ストッパ６を、パネル本体１に一体成形した突出片６１によって形成し、この突出片６１を押ボタン４の押込み経路に下向きに突き出させてある。突出片６１と前板部１２とに跨がる板片状の補強リブ７をパネル本体に一体成形する。補強リブ７が突出片６１や前板部１２を補強してそれらの反り変形を防ぐ。【選択図】        図２
2008130331.tif 000002
【特許請求の範囲】
【請求項１】
押ボタンが配備された開口を前板部に備えるパネル本体と、上記押ボタンが押し込まれたときにその押ボタンに突き当たってその押込みストロークを規制するストッパとを有する電気機器キャビネットのフロントパネルにおいて、
横長矩形の上記パネル本体の前板部が、横並びに配列された複数の押ボタンが配備されている上記開口と、その開口の形成箇所の上側に形成されて記録媒体が出し入れされる横長矩形の口部とを備えていると共に、その口部の口縁に後方に突き出た縁枠部が連設されており、
上記ストッパが、上記パネル本体に一体成形されかつ上記開口の口縁部を起点として上記押ボタンの押込み経路に下向きに突き出た突出片によって形成され、その突出片とパネル本体の上記前板部と上記縁枠部とに跨がる板片状の補強リブが上記パネル本体に一体成形されていて、この補強リブによって、上記押ボタンが突き当てられたときの押圧荷重を受け止める上記突出片の上記押込み経路からの退出変位が阻止されるように構成してあることを特徴とする電気機器キャビネットのフロントパネル。
【請求項２】
押ボタンが配備された開口を前板部に備えるパネル本体と、上記押ボタンが押し込まれたときにその押ボタンに突き当たってその押込みストロークを規制するストッパとを有する電気機器キャビネットのフロントパネルにおいて、
上記ストッパが、上記パネル本体に一体成形されかつ上記開口の口縁部を起点として上記押ボタンの押込み経路に突き出た突出片によって形成されていると共に、その突出片とパネル本体の上記前板部とに跨がる補強リブが上記パネル本体に一体成形されていて、この補強リブによって、上記押ボタンが突き当てられたときの押圧荷重を受け止める上記突出片の上記押込み経路からの退出変位が阻止されるように構成してあることを特徴とする電気機器キャビネットのフロントパネル。
【請求項３】
上記開口に複数の押ボタンが横並びに配列されていて、個々の押ボタンに個別に割り当てられて設けられているそれぞれの上記突出片とパネル本体の上記前板部とに跨がって上記補強リブが配備されている請求項２に記載した電気機器キャビネットのフロントパネル。
【請求項４】
上記前板部は上記開口の上側に記録媒体が出し入れされる横長矩形の口部を備えていて、上記突出片と上記前板部とに跨がって形成されている上記補強リブの上端部が上記口部の口縁に位置している請求項２又は請求項３に記載した電気機器キャビネットのフロントパネル。
【請求項５】
上記口部の口縁に後方に突き出た縁枠部が連設されていると共に、上記補強リブの上端部が上記縁枠部に連設されている請求項４に記載した電気機器キャビネットのフロントパネル。
【発明の詳細な説明】
【技術分野】
【０００１】
本発明は、電気機器キャビネットのフロントパネル、特に、フロントパネルに装備された押ボタンについての操作信頼性や耐久性を高めるための対策を講じた電気機器キャビネットのフロントパネルに関する。
【背景技術】
【０００２】
たとえば、ＤＶＤや磁気テープを使用対象とするＡＶ複合機としての電気機器では、偏平な横長箱形のキャビネットがその前端部にフロントパネルを備えている。図７にはこの種のフロントパネルのパネル本体１を概略縦断側面図によって説明的に示してある。
【０００３】
同図のパネル本体１は前板部１２の周囲に縁枠１３を有していて、その全体が樹脂成形体によって形成されている。また、このパネル本体１に樹脂成形体を用いる場合において、キャビネットの軽量化やコストダウンなどを図りやすくすることなどのためには、その前板部１２や縁枠１３をできるだけ薄肉にしておくことが望ましいので、強度不足などの不都合が起こらない範囲で薄肉化が図られている。その反面で、薄肉の前板部１２や縁枠１３を有するパネル本体１では、その前板部１２に押圧荷重が加えられたときに、図７に仮想線で例示したようにその前板部１２が後方に張り出す形に反り変形を起こしやすいということが云える。
【０００４】
上記パネル本体１には一般的に制御用の押ボタンが装備されるほか、ＤＶＤや磁気テープを使用対象とする電気機器では、ＤＶＤや磁気テープなどの記録媒体を出し入れするための横長矩形の口部が形成されている。図５にはこのような電気機器のフロントパネルＡの要部の縦断面図を示してある。同図において、２はパネル本体１に設けられた開口、３は開口２の形成箇所の上側に設けられた口部であって、これらはパネル本体１の前板部１２に形成されている。そして、開口２には押ボタン４が配備され、口部３には扉５が装備されている。押ボタン４は、開口２の下方で前板部１２に固着されたフレーム部４１から上向きに立ち上がった支持片４２の上端部に設けられている。そして、押ボタン４が矢印Ｐのように手の指で押圧されると、支持片４２の下端に形成されているヒンジ部４３を支点としてその押ボタン４が押し込まれ、そのような押込み操作を通じてキャビネット内部に配備されているスイッチＳが操作されるようになっている。また、パネル本体１には、押ボタン４が押し込まれたときにその押ボタン４に突き当たってその押込みストロークを規制するストッパ６が設けられている。図例のストッパ６は、パネル本体１に一体成形されて上記開口２の口縁部２１を起点として押ボタン４の押込み経路に下向きに突き出た突出片６１によって形成されている。
【０００５】
一方、上記した押ボタン４のように、フレーム部４１から立ち上がった支持片４２の上端部に設けられている押ボタン４では、それを開口２に配備するときの組立工程で図６に示した手順が採用される。すなわち、開口２に対して下向きに突き出ている突出片６１を避けて押ボタン４を開口２に挿入する必要があるために、同図のように押ボタン４を傾けて矢印ａのように回動させながら開口２に挿入し、その挿入後に図５に示したようにフレーム４１を開口２の下方で前板部１２に固着するという作業が行われる。
【０００６】
次に、従来より、押釦装置において、押釦の押圧部に過剰な押し力が加えられたときに薄肉ヒンジ部が変形破損するという問題点を解決するために、前面パネルに押釦保護用リブを設けることによって、押釦の押込み代を規制するという対策を講じることが知られている（たとえば、特許文献１参照）。これと同様の目的を達成するための対策を講じた電子機器の提案もなされている（たとえば、特許文献２参照）。さらに、連結押釦の構造に関しては、複数の押釦が１つの押釦の動作に連動することを回避するための研究も行われている（たとえば、特許文献３参照）。
【特許文献１】特開２００５−５０７５０号公報
【特許文献２】特開２００６−２１０１９１号公報
【特許文献３】特開平８−４５３８９号公報
【発明の開示】
【発明が解決しようとする課題】
【０００７】
図５を参照して説明したフロントパネルＡでは、押ボタン４が強く押圧されたときには、そのときの押圧荷重をストッパ６としての突出片６１が受け止めるので、その影響が突出片６１自体の反り変形や前板部１２の反り変形（図７参照）となって現れて突出片６１が押ボタン４の押込み経路から退出変位するという事態が起こり、その結果、押ボタン４が突出片６１の下側に突き出たまま動かなくなったり、場合によってはヒンジ４３が損傷してしまったりすることがあった。
【０００８】
この点を改善して押ボタン４についての操作信頼性や耐久性を向上させるには、図６に示した開口２に対する突出片６１の突出し幅Ｌを長くすることが有効であるけれども、その反面で突出片６１の突出し幅Ｌを長くすると、同図を参照して説明した押ボタン４の組立工程でその突出片６１がじゃまになって作業性が低下する。これに対し、突出片６１の突出し幅Ｌを短くすると、押ボタン４の組立工程での作業性を向上させることができるけれども、押ボタン４についての操作信頼性や耐久性が低下する。また、前板部１２の反り変形を抑えて押ボタン４についての操作信頼性や耐久性を高めるために、その前板部１２を厚肉化すると、キャビネットの軽量化が阻害され、コストダウンを図りにくくなる。
【０００９】
以上より、図５又は図６を参照して説明したフロントパネルＡについては、突出片６１の突出し幅Ｌを長くすることなく、また、前板部１２を厚肉化することなく押ボタン４についての操作信頼性や耐久性を向上させることができれば、その操作信頼性や耐久性を高めることと同時に、押ボタン４の組立工程での作業性をも向上させることができ、しかも、キャビネットの軽量化やコストダウンを図りやすくなるということが云える。
【００１０】
この点に関して、上掲の特許文献１や特許文献２では押釦の押込み代を規制する手段が提供されているだけであり、特許文献３では複数の押釦の連動動作を防ぐ対策についての記述がされているだけであるので、これらの特許文献１〜３に記載されている技術によっては、図５又は図６を参照して説明した押ボタン４についての組立工程での作業性やキャビネットの軽量化などを阻害することなく、押ボタン４の操作信頼性や耐久性を向上させたりすることが不可能である。
【００１１】
本発明は以上の状況の下でなされたものであり、図５又は図６を参照して説明した構成を備える電気機器キャビネットのフロントパネルにおいて、新たに部品を追加することなく、また、押ボタンについての組立工程での作業性やキャビネットの軽量化などを阻害することなく、押ボタンの操作信頼性や耐久性を向上させることのできる電気機器キャビネットのフロントパネルを提供することを目的としている。
【課題を解決するための手段】
【００１２】
本発明に係る電気機器キャビネットのフロントパネルは、押ボタンが配備された開口を前板部に備えるパネル本体と、上記押ボタンが押し込まれたときにその押ボタンに突き当たってその押込みストロークを規制するストッパとを有する。そして、上記ストッパが、上記パネル本体に一体成形されかつ上記開口の口縁部を起点として上記押ボタンの押込み経路に突き出た突出片によって形成されていると共に、その突出片とパネル本体の上記前板部とに跨がる補強リブが上記パネル本体に一体成形されていて、この補強リブによって、上記押ボタンが突き当てられたときの押圧荷重を受け止める上記突出片の上記押込み経路からの退出変位が阻止されるように構成してある。
【００１３】
この構成であれば、押ボタンが突き当てられたときの押圧荷重を受け止める突出片自体の反り変形が補強リブによって抑制され、また、その補強リブがパネル本体の前板部の反り変形を防止することにも役立つので、上記押圧荷重を受け止めた突出片が押ボタンの押込み経路から退出変位するという事態が阻止される。そのため、押ボタンの押込みストロークが突出片としてのストッパによって確実に規制されるようになって、押ボタンについての操作信頼性や耐久性が向上する。また、その補強リブがパネル本体の前板部の反り変形を抑制することにも役立つので、この点からも押ボタンについての操作信頼性や耐久性が向上するということが云える。
【００１４】
本発明では、上記開口に複数の押ボタンが横並びに配列されていて、個々の押ボタンに個別に割り当てられて設けられているそれぞれの上記突出片とパネル本体の上記前板部とに跨がって上記補強リブが配備されている、という構成を採用してもよい。これによれば、個々の押ボタンに個別に割り当てられている突出片ごとに上記補強リブが備わるので、それらの複数の補強リブの共働作用によって上記した押ボタンについての操作信頼性や耐久性が向上する。
【００１５】
本発明において、上記前板部は上記開口の上側に記録媒体が出し入れされる横長矩形の口部を備えていて、上記突出片と上記前板部とに跨がって形成されている上記補強リブの上端部が上記口部の口縁に位置していることが望ましい。そして、この場合にあっては、上記口部の口縁に後方に突き出た縁枠部が連設されていると共に、上記補強リブの上端部が上記縁枠部に連設されていることが望ましい。これによれば、冒頭に掲げたＤＶＤや磁気テープを取り扱う電気機器に関して、押ボタンについての操作信頼性や耐久性が向上するという作用が奏される。
【００１６】
本発明に係る電気機器キャビネットのフロントパネルは、押ボタンが配備された開口を前板部に備えるパネル本体と、上記押ボタンが押し込まれたときにその押ボタンに突き当たってその押込みストロークを規制するストッパとを有する電気機器キャビネットのフロントパネルにおいて、横長矩形の上記パネル本体の前板部が、横並びに配列された複数の押ボタンが配備されている上記開口と、その開口の形成箇所の上側に形成されて記録媒体が出し入れされる横長矩形の口部とを備えていると共に、その口部の口縁に後方に突き出た縁枠部が連設されており、上記ストッパが、上記パネル本体に一体成形されかつ上記開口の口縁部を起点として上記押ボタンの押込み経路に下向きに突き出た突出片によって形成され、その突出片とパネル本体の上記前板部と上記縁枠部とに跨がる板片状の補強リブが上記パネル本体に一体成形されていて、この補強リブによって、上記押ボタンが突き当てられたときの押圧荷重を受け止める上記突出片の上記押込み経路からの退出変位が阻止されるように構成してある、という構成を採用することによっていっそう具体化される。
【発明の効果】
【００１７】
以上のように、本発明によれば、新たに部品を追加することなく、また、押ボタンについての組立工程での作業性やキャビネットの軽量化などを阻害することなく、押ボタンの操作信頼性や耐久性を向上させることが可能になる。
【発明を実施するための最良の形態】
【００１８】
図１は本発明に係るフロントパネルＡを採用した電気機器キャビネットの概略斜視図である。同図は、ＤＶＤや磁気テープを使用対象とするＡＶ複合機としての電気機器キャビネットを示しており、フロントパネルＡは偏平な横長箱形のキャビネットの前端部に備わっている。このフロントパネルＡにおいて、パネル本体１は前板部１２の周囲に縁枠１３を有していて、その全体が樹脂成形体によって形成されている。また、このパネル本体１には、その前板部１２に横並びに配列された複数の押ボタン４のほか、ＤＶＤローディングのためのトレイ（不図示）が出退される横長矩形の口部３やテープカセットが出し入れされる横長矩形の口部３Ａなどが設けられている。
【００１９】
図２はフロントパネルＡを内側から見て示した要部の背面図、図３は図２のＩＩＩ−ＩＩＩ線に沿う部分を説明的に示した拡大縦断側面図、図４は図２のＩＶ−ＩＶ線に沿う部分を説明的に示した拡大縦断側面図である。
【００２０】
図２において、２は前板部１２に備わっている横長の開口を示していて、図例では、その開口２に２つの押ボタン４が横並びに配備されている。これらの押ボタン４は、開口２の下方で前板部１２に固着されたフレーム部４１から上向きに立ち上がった支持片４２の上端部に設けられている。そして、押ボタン４が図４の矢印Ｐのように手の指で押圧されると、支持片４２の下端に形成されているヒンジ部４３を支点としてその押ボタン４が押し込まれ、そのような押込み操作を通じてキャビネット内部に配備されているスイッチＳが操作されるようになっている。また、図２及び図４に示したように、パネル本体１には、押ボタン４が押し込まれたときにその押ボタン４に突き当たってその押込みストロークを規制するストッパ６が設けられている。図例のストッパ６は、パネル本体１に一体成形されて上記開口２の口縁部２１を起点として押ボタン４の押込み経路に下向きに突き出た突出片６１によって形成されている。さらに、図２及び図３に示したように、押ボタン４には、突片４４が備わっていて、ヒンジ４３の弾性によって押ボタン４が押込み位置から初期位置に復帰したときにその突片４４が上記開口２の口縁部２１に係止してその押ボタン４の初期位置を規制するようになっている。また、上記口部３の口縁に後方に突き出た縁枠部３１が連設されている。
【００２１】
以上説明した構成を備えるフロントパネルＡにおいて、図２及び図４のように、個々の突出片６１とパネル本体１の前板部１２と縁枠部３１とに跨がって、キャビネットＡの高さ方向に垂直に延びる板片状の補強リブ７がパネル本体１に一体成形されている。この補強リブ７は、図４矢印Ｐのように手の指で押された押ボタン４が突出片６１に突き当たったときに、そのときの押圧荷重を受け止める突出片６１自体の反り変形や前板部１２の反り変形を抑制し得る補強作用を発揮する。このため、押ボタン４が突き当てられたときの押圧荷重を受け止める突出片６１が、押ボタン４の押込み経路から退出変位することが補強リブ７の補強作用によって阻止されるようになる。
【００２２】
したがって、この実施形態によれば、押ボタン４の押込みストロークが突出片６１でなるストッパ６によって確実に規制されるようになるだけでなく、押ボタン４に大きな押込み荷重が加えられたままになるような静荷重負荷状態が生起されたとしても、突出片６１による機能、すなわち押ボタン４の押込みストロークを規制する機能が損なわれることがなくなって、押ボタン４についての操作信頼性が向上する。同時に、ヒンジ４３が損傷したりすることがなくなって押ボタン４の耐久性も向上する。特に、この実施形態では、開口２に配備されている２つの押ボタン４についての個別の突出片６１が、それらに個別の補強リブ７によって補強されているので、上記した前板部１２の反り変形が効果的に抑制されるようになる。そのため、突出片６１の突出し幅Ｌ（図６参照）を可及的短く抑えてその突出片６１が押ボタン４の組立工程でじゃまにならないようにしてその生産性を向上させたとしても押ボタン４の操作信頼性が向上する。また、補強リブ７を備えていないもの、すなわち図５や図６を参照して説明したフロントパネルＡと比べると、押ボタン４についての操作信頼性や耐久性が格段に向上する。
【００２３】
この実施形態のフロントパネルＡにおいて、上記した補強リブ７は、パネル本体１の前板部１２の高さ方向中央部で開口２とその上の口部３との間に跨がって設けられている。そのため、樹脂成形体によって構成されるパネル本体１の量産性が阻害されることなく、前板部１２が高さ方向中央部で補強リブ７によって補強されることになって、前板部１２の反り変形に対する剛性が効果的に高められている。その結果、前板部１２の反り変形に起因する押ボタン４の押込み経路からの突出片６１の退出変位が確実に阻止されて、押ボタン４の操作信頼性や耐久性が向上するという利点がある。
【００２４】
この実施形態では、１つの開口２に２つの押ボタン４を配備した事例を説明したけれども、この点は、１つの開口に１つの押ボタンを配備したものや、１つの開口に２つより多い数の押ボタンを配備したものについても同様である。
【００２５】
なお、図１〜図７においては、説明の便宜上、同一又は相応する部分に同一符号を付してある。
【図面の簡単な説明】
【００２６】
【図１】本発明に係るフロントパネルを採用した電気機器キャビネットの概略斜視図である。
【図２】フロントパネルを内側から見て示した要部の背面図である。
【図３】図２のＩＩＩ−ＩＩＩ線に沿う部分を説明的に示した拡大縦断側面図である。
【図４】図２のＩＶ−ＩＶ線に沿う部分を説明的に示した拡大縦断側面図である。
【図５】従来のフロントパネルの要部の縦断面図である。
【図６】押ボタンを開口に配備するときの組立工程で採用される作業手順を示した説明図である。
【図７】フロントパネルのパネル本体の概略縦断側面図である。
【符号の説明】
【００２７】
Ａ  フロントパネル
１  パネル本体
２  開口
３  口部
４  押ボタン
６  ストッパ
７  補強リブ
１２  前板部
３１  縁枠部
６１  突出片
【図１】
2008130331.tif 000003
【図２】
2008130331.tif 000004
【図３】
2008130331.tif 000005
【図４】
2008130331.tif 000006
【図５】
2008130331.tif 000007
【図６】
2008130331.tif 000008
【図７】
2008130331.tif 000009